(57)【特許請求の範囲】
【請求項１】
電源に接続されている電源端子と、
接地されている接地端子と、
信号電流が流れる信号線と、
第一のスイッチと、
前記信号線に接続され、前記第一のスイッチと直列に接続されている第二のスイッチと、
前記電源端子に接続されている第三のスイッチと、
前記信号電流を電圧に変換して記憶する記憶段と、
駆動トランジスタと、
前記駆動トランジスタのソースと前記接地端子との間に接続されている負荷と、
前記第一、第二及び第三のスイッチに接続されている選択線と、
からなり、
前記信号線は前記第一及び第二のスイッチを介して前記駆動トランジスタのゲートに接続されており、
前記記憶段は、前記駆動トランジスタのゲートと前記接地端子との間に接続されており、
前記第一のスイッチは前記駆動トランジスタのドレインとゲートとの間に接続されており、
前記駆動トランジスタのドレインは、前記第二のスイッチを介して前記信号線に接続されるとともに、前記第三のスイッチを介して前記電源端子に接続されている電流駆動回路。
【請求項２】
前記第三のスイッチは前記第一及び第二のスイッチとは逆極性を有しており、前記選択線がハイレベルまたはローレベルの何れか一方の場合には、前記第一及び第二のスイッチは導通状態にあり、かつ、前記第三のスイッチは遮断状態にあり、前記選択線がハイレベルまたはローレベルのうちの他方の場合には、前記第一及び第二のスイッチは遮断状態にあり、かつ、前記第三のスイッチは導通状態にあることを特徴とする請求項１に記載の電流駆動回路。
【請求項３】
電源に接続されている電源端子と、
接地されている接地端子と、
信号電流が流れる信号線と、
第一のスイッチトランジスタと、
第二のスイッチトランジスタと、
第三のスイッチトランジスタと、
前記信号電流を電圧に変換して記憶する保持容量と、
駆動トランジスタと、
前記駆動トランジスタのソースと前記接地端子との間に接続されている負荷と、
前記第一、第二及び第三のスイッチトランジスタのゲートに接続されている選択線と、
からなり、
前記保持容量は、前記駆動トランジスタのゲートと前記接地端子との間に接続されており、
前記第一及び第二のスイッチトランジスタは、前記信号線と前記駆動トランジスタのゲートとの間に相互に直列に接続されており、
前記第一のスイッチトランジスタと前記第二のスイッチトランジスタとの接続点は、前記駆動トランジスタのドレインに接続され、
前記駆動トランジスタのドレインは前記第三のスイッチトランジスタを介して前記電源端子に接続されている電流駆動回路。
【請求項４】
電源に接続されている電源端子と、
接地されている接地端子と、
信号電流が流れる信号線と、
第一のスイッチトランジスタと、
第二のスイッチトランジスタと、
第三のスイッチトランジスタと、
前記信号電流を電圧に変換して記憶する保持容量と、
駆動トランジスタと、
前記駆動トランジスタのソースと前記接地端子との間に接続されている負荷と、
前記第一、第二及び第三のスイッチトランジスタのゲートに接続されている選択線と、
からなり、
前記保持容量は、前記駆動トランジスタのゲートと前記接地端子との間に接続されており、
前記第二のスイッチトランジスタのソースは、前記駆動トランジスタのドレインと前記第三のスイッチトランジスタのドレインとの接続点に接続されており、
前記第一及び第二のスイッチトランジスタのドレインは前記信号線に接続されており、
前記第一のスイッチトランジスタのソースは前記駆動トランジスタのゲートと前記保持容量との接続点に接続されており、
前記駆動トランジスタのドレインは前記第三のスイッチトランジスタを介して前記電源端子に接続されている電流駆動回路。
【請求項５】
電源に接続されている電源端子と、
接地されている接地端子と、
信号電流が流れる信号線と、
第一のスイッチトランジスタと、
第二のスイッチトランジスタと、
第三のスイッチトランジスタと、
第四のトランジスタと、
前記信号電流を電圧に変換して記憶する保持容量と、
駆動トランジスタと、
前記駆動トランジスタのソースと前記接地端子との間に接続されている負荷と、
前記第一、第二及び第三のスイッチトランジスタのゲートに接続されている選択線と、
からなり、
前記保持容量は、前記駆動トランジスタのゲートと前記接地端子との間に接続されており、
前記第二のスイッチトランジスタのソースは、前記駆動トランジスタのドレインと前記第三のスイッチトランジスタのドレインとの接続点に接続されており、
前記第二のスイッチトランジスタのドレインは前記信号線に接続されており、
前記第四のトランジスタは前記第一のスイッチトランジスタのドレインと前記第二のスイッチトランジスタのドレインとの間に接続されており、
前記第四のトランジスタは前記第一のスイッチトランジスタ及び前記第二のスイッチトランジスタと同極性であり、
前記第四のトランジスタのドレインとゲートは前記第二のスイッチトランジスタと前記信号線との接続点に接続され、前記第四のトランジスタのソースは前記第一のスイッチトランジスタのドレインに接続されており、
前記第一のスイッチトランジスタのソースは前記駆動トランジスタのゲートと前記保持容量との接続点に接続されており、
前記駆動トランジスタのドレインは前記第三のスイッチトランジスタを介して前記電源端子に接続されている電流駆動回路。
【請求項６】
電源に接続されている電源端子と、
接地されている接地端子と、
信号電流が流れる信号線と、
第一のスイッチトランジスタと、
第二のスイッチトランジスタと、
第三のスイッチトランジスタと、
第四のトランジスタと、
前記信号電流を電圧に変換して記憶する保持容量と、
駆動トランジスタと、
前記駆動トランジスタのソースと前記接地端子との間に接続されている負荷と、
前記第一、第二及び第三のスイッチトランジスタのゲートに接続されている選択線と、
からなり、
前記保持容量は、前記駆動トランジスタのゲートと前記接地端子との間に接続されており、
前記第二のスイッチトランジスタのソースは、前記駆動トランジスタのドレインと前記第三のスイッチトランジスタのドレインとの接続点に接続されており、
前記第一及び第二のスイッチトランジスタのドレインは前記信号線に接続されており、
前記第四のトランジスタのソースは前記保持容量と前記駆動トランジスタのゲートとの接続点に接続され、前記第四のトランジスタのドレインは前記信号線に接続され、
前記第一のスイッチトランジスタのソースは前記第四のトランジスタのゲートに接続され、
前記駆動トランジスタのドレインは前記第三のスイッチトランジスタを介して前記電源端子に接続されている電流駆動回路。
【請求項７】
前記第一及び第二のスイッチトランジスタは前記駆動トランジスタと同極性であることを特徴とする請求項３乃至６の何れか一項に記載の電流駆動回路。
【請求項８】
前記第三のスイッチトランジスタは前記駆動トランジスタ、前記第一のスイッチトランジスタ及び前記第二のスイッチトランジスタとは逆極性であることを特徴とする請求項３乃至７の何れか一項に記載の電流駆動回路。
【請求項９】
前記第四のトランジスタは前記駆動トランジスタ、前記第一のスイッチトランジスタ及び前記第二のスイッチトランジスタと同極性であることを特徴とする請求項５または６に記載の電流駆動回路。
【請求項１０】
前記第一及び第二のスイッチトランジスタは前記駆動トランジスタとは逆極性であることを特徴とする請求項３に記載の電流駆動回路。
【請求項１１】
前記第三のスイッチトランジスタは前記駆動トランジスタと同極性であり、前記第一のスイッチトランジスタ及び前記第二のスイッチトランジスタとは逆極性であることを特徴とする請求項３に記載の電流駆動回路。
【請求項１２】
電源に接続されている電源端子と、
接地されている接地端子と、
信号電流が流れる信号線と、
第一のスイッチトランジスタと、
第二のスイッチトランジスタと、
第三のスイッチトランジスタと、
第四のトランジスタと、
前記信号電流を電圧に変換して記憶する第一の保持容量と、
前記信号電流を電圧に変換して記憶する第二の保持容量と、
駆動トランジスタと、
前記駆動トランジスタのソースと前記接地端子との間に接続されている負荷と、
前記第一、第二及び第三のスイッチトランジスタのゲートに接続されている選択
線と、
からなり、
前記第一の保持容量は、前記駆動トランジスタのゲートと前記接地端子との間に接続されており、
前記第一のスイッチトランジスタは前記駆動トランジスタのドレインとゲートとの間に接続されており、
前記第四のトランジスタのドレインは前記信号線に、ソースは前記駆動トランジスタのドレインにそれぞれ接続されており、
前記第二のスイッチトランジスタは前記第四のトランジスタのドレインとゲートとの間に接続されており、
前記第二の保持容量は前記第四のトランジスタのゲートと前記駆動トランジスタのゲートとの間に接続されており、
前記駆動トランジスタのドレインは前記第三のスイッチトランジスタを介して前記電源端子に接続されている電流駆動回路。
【請求項１３】
前記第一及び第二のスイッチトランジスタは前記駆動トランジスタと同極性であることを特徴とする請求項１２に記載の電流駆動回路。
【請求項１４】
前記第四のトランジスタは前記駆動トランジスタと同極性であることを特徴とする請求項１２または１３に記載の電流駆動回路。
【請求項１５】
前記第三のスイッチトランジスタは前記駆動トランジスタとは逆極性であることを特徴とする請求項１２乃至１４の何れか一項に記載の電流駆動回路。
【請求項１６】
前記負荷は有機エレクトロルミネッセンス素子であることを特徴とする請求項１乃至１５の何れか一項に記載の電流駆動回路。
【請求項１７】
請求項１乃至１６の何れか一項に記載の電流駆動回路を備える画像表示装置。
【発明の詳細な説明】
【０００１】
【発明の属する技術分野】
本発明は、有機エレクトロルミネッセンス素子その他の負荷の電流を駆動する電流駆動回路に関する。
【０００２】
【従来の技術】
電流駆動を要する負荷の代表的なものの一つとして、有機エレクトロルミネッセンス素子（以下、「有機ＥＬ素子」と略称する）がある。
【０００３】
有機ＥＬ素子は、輝度の向上、耐長期寿命性、材料及び有機ＥＬ素子を含むモジュールの封止性等にさまざまな研究課題はあるものの、低電圧の直流電流で駆動可能であること、高効率で高輝度を実現できること、液晶に比べ応答性が速く、かつ、低温での温度特性が良好であること、視認性が良いこと、更に、自発光であるため液晶表示装置と違ってバックライトを必要としないため、有機ＥＬ素子を画像表示装置として使用した場合に画像表示装置を薄型にすることができること等の利点があるため、各種分野において早期の量産化が切望されている。
【０００４】
有機ＥＬ素子を画像表示装置に応用する際における有機ＥＬ素子を駆動する方式として、発光効率が良く、高画質を得ることが期待できるアクティブマトリクス方式の駆動回路が盛んに研究されている。このアクティブマトリクス方式の駆動回路においては、アクティブ素子としてアモルファスまたは多結晶シリコンの薄膜トランジスタ（Ｔｈｉｎ  Ｆｉｌｍ  Ｔｒａｎｓｉｓｔｏｒ：以下「ＴＦＴ」という）が使用されている。
【０００５】
たとえば、特開平１１−２８２４１９号公報には、ＴＦＴにより有機ＥＬ素子を駆動するアクティブマトリクス方式の電流駆動回路の一例が記載されている。
【０００６】
図８は同公報に記載されている電流駆動回路を示す回路図である。
【０００７】
この電流駆動回路は、一対の電源電極として電源に接続されている電源端子１及び接地されている接地端子２と、信号電流が流れる信号線３と、選択線４と、電流駆動を要する負荷としての有機ＥＬ素子３１と、駆動トランジスタ３２と、トランジスタ３３と、保持容量３４と、第一のスイッチ３５と、第二のスイッチ３６と、からなる。
【０００８】
有機ＥＬ素子３１の一端は電源端子１に接続されており、他端は駆動トランジスタ３２を介して接地端子２に接続されている。
【０００９】
駆動トランジスタ３２はゲート電極に印加されるゲート電圧に応じて変換された駆動電流を有機ＥＬ素子３１に供給する。
【００１０】
電圧保持手段としての保持容量３４は駆動トランジスタ３２のゲートと接地端子２との間に接続されている。
【００１１】
保持容量３４及び駆動トランジスタ３２のゲートには、第二のスイッチ３６の一方の端子が接続され、第二のスイッチ３６の他方の端子には電流を電圧に変換するトランジスタ３３が接続されている。
【００１２】
トランジスタ３３は駆動トランジスタ３２と同一極性で構成され、トランジスタ３３のドレインとゲートとは互いに接続されダイオード構造をしている。
【００１３】
さらに、トランジスタ３３と駆動トランジスタ３２とは第二のスイッチ３６を介してカレントミラー回路を形成している。
【００１４】
トランジスタ３３には、第一のスイッチ３５を介して、信号線３が接続されている。
【００１５】
第一のスイッチ３５及び第二のスイッチ３６の各制御端子には選択線４が接続されている。
【００１６】
選択線４に制御信号を入力して第一のスイッチ３５及び第二のスイッチ３６をショート状態にすると、信号線３の信号電流（図示せず）は、第一のスイッチ３５を介して、電流を電圧に変換するトランジスタ３３に入力され、トランジスタ３３において電圧に変換されるとともに、第二のスイッチ３６を介して、保持容量３４に電荷を充電し、信号電流に相当する電圧を保持容量３４保持する。
【００１７】
トランジスタ３３と駆動トランジスタ３２とは第二のスイッチ２６を介してカレントミラー回路を形成しているので、有機ＥＬ素子３１には信号線３からの信号電流が供給される。
【００１８】
選択線４の制御信号が遮断され、第一のスイッチ３５及び第二のスイッチ３６がオープン状態になっても、保持容量３４には信号線３からの信号電流に相当する電圧が保持されている。このため、駆動トランジスタ３２のゲートには保持容量３４に保持された電圧が印加されているため、有機ＥＬ素子３１には信号線３からの信号電流と同一の電流が続けて供給される。
【００１９】
【発明が解決しようとする課題】
しかしながら、図８に示した従来の電流駆動回路には、次のような問題点があった。
【００２０】
第１の問題点は、信号線３からの信号電流が有機ＥＬ素子３１に精度良く伝達されないという点である。
【００２１】
その理由は次の通りである。アモルファスまたは多結晶シリコンからなる薄膜トランジスタは、単結晶シリコン半導体とは違って、結晶粒界の存在によって、閾値が数百ミリボルトのオーダーでばらつくことがある。そのため、カレントミラー回路を形成するトランジスタ３３及び駆動トランジスタ３２をＴＦＴで構成している図８の電流駆動回路においては、これらのトランジスタ３３、３２を隣接配置したとしても、トランジスタ３３、３２の閾値のばらつきを抑えることは極めて難しく、両トランジスタ３３、３２の整合を得ることは困難であるためである。
【００２２】
従って、図８に示した従来の電流駆動回路をＴＦＴで製造すると、製造歩留まりは低くなり、製造コストの著しく高いものとなる。
【００２３】
このようなＴＦＴの閾値のばらつきを解消するため、アナログ方式ではなくディジタル方式で信号処理を行う方法（『有機ＥＬパネルの高精細化に向け回路の基本特許を取得（日経エレクトロニクス  ２０００年４月２４日号  ＮＯ．７６８号）』も提案されているが、こうした方式は回路の複雑化と大規模化を招き、コスト増大の一因となる。
【００２４】
第２の問題点は、消費電力の増大となるという点である。
【００２５】
その理由は、カレントミラー回路を形成するトランジスタ３３を流れる電流は信号線３からの信号電流ではあるが、このトランジスタ３３を流れる電流自身は有機ＥＬ素子３１に直接流れるものではないためである。
【００２６】
本発明は、以上のような従来の電流駆動回路における問題点を解決するためになされたものであり、低製造コストと低消費電力の電流駆動回路を提供することを目的とする。
【００２７】
【課題を解決するための手段】
この目的を達成するため、本発明のうち、請求項１は、電源に接続されている電源端子と、接地されている接地端子と、信号電流が流れる信号線と、第一のスイッチと、前記信号線に接続され、前記第一のスイッチと直列に接続されている第二のスイッチと、前記電源端子に接続されている第三のスイッチと、前記信号電流を電圧に変換して記憶する記憶段と、駆動トランジスタと、前記駆動トランジスタのソースと前記接地端子との間に接続されている負荷と、前記第一、第二及び第三のスイッチに接続されている選択線と、からなる電流駆動回路を提供する。
【００２８】
本電流駆動回路において、前記信号線は前記第一及び第二のスイッチを介して前記駆動トランジスタのゲートに接続されており、前記記憶段は、前記駆動トランジスタのゲートと前記接地端子との間に接続されており、前記第一のスイッチは前記駆動トランジスタのドレインとゲートとの間に接続されており、前記駆動トランジスタのドレインは、前記第二のスイッチを介して前記信号線に接続されるとともに、前記第三のスイッチを介して前記電源端子に接続されている。
【００２９】
本電流駆動回路においては、前記第三のスイッチは前記第一及び第二のスイッチとは逆極性を有していることが好ましい。
【００３０】
すなわち、前記選択線がハイレベルまたはローレベルの何れか一方の場合には、前記第一及び第二のスイッチは導通状態にあり、かつ、前記第三のスイッチは遮断状態にあり、前記選択線がハイレベルまたはローレベルのうちの他方の場合には、前記第一及び第二のスイッチは遮断状態にあり、かつ、前記第三のスイッチは導通状態にあることが好ましい。
【００３１】
請求項３は、電源に接続されている電源端子と、接地されている接地端子と、信号電流が流れる信号線と、第一のスイッチトランジスタと、第二のスイッチトランジスタと、第三のスイッチトランジスタと、前記信号電流を電圧に変換して記憶する保持容量と、駆動トランジスタと、前記駆動トランジスタのソースと前記接地端子との間に接続されている負荷と、前記第一、第二及び第三のスイッチトランジスタのゲートに接続されている選択線と、からなる電流駆動回路を提供する。
【００３２】
本電流駆動回路においては、前記保持容量は、前記駆動トランジスタのゲートと前記接地端子との間に接続されており、前記第一及び第二のスイッチトランジスタは、前記信号線と前記駆動トランジスタのゲートとの間に相互に直列に接続されており、前記第一のスイッチトランジスタと前記第二のスイッチトランジスタとの接続点は、前記駆動トランジスタのドレインに接続され、前記駆動トランジスタのドレインは前記第三のスイッチトランジスタを介して前記電源端子に接続されている。
【００３３】
本電流駆動回路においては、前記第一及び第二のスイッチトランジスタは前記駆動トランジスタとは逆極性であることが好ましい。
【００３４】
また、前記第三のスイッチトランジスタは前記駆動トランジスタと同極性であり、前記第一のスイッチトランジスタ及び前記第二のスイッチトランジスタとは逆極性であることが好ましい。
【００３５】
また、請求項４は、電源に接続されている電源端子と、接地されている接地端子と、信号電流が流れる信号線と、第一のスイッチトランジスタと、第二のスイッチトランジスタと、第三のスイッチトランジスタと、前記信号電流を電圧に変換して記憶する保持容量と、駆動トランジスタと、前記駆動トランジスタのソースと前記接地端子との間に接続されている負荷と、前記第一、第二及び第三のスイッチトランジスタのゲートに接続されている選択線と、からなる電流駆動回路を提供する。
【００３６】
本電流駆動回路においては、前記保持容量は、前記駆動トランジスタのゲートと前記接地端子との間に接続されており、前記第二のスイッチトランジスタのソースは、前記駆動トランジスタのドレインと前記第三のスイッチトランジスタのドレインとの接続点に接続されており、前記第一及び第二のスイッチトランジスタのドレインは前記信号線に接続されており、前記第一のスイッチトランジスタのソースは前記駆動トランジスタのゲートと前記保持容量との接続点に接続されており、前記駆動トランジスタのドレインは前記第三のスイッチトランジスタを介して前記電源端子に接続されている。
【００３７】
また、請求項５は、電源に接続されている電源端子と、接地されている接地端子と、信号電流が流れる信号線と、第一のスイッチトランジスタと、第二のスイッチトランジスタと、第三のスイッチトランジスタと、第四のトランジスタと、前記信号電流を電圧に変換して記憶する保持容量と、駆動トランジスタと、前記駆動トランジスタのソースと前記接地端子との間に接続されている負荷と、前記第一、第二及び第三のスイッチトランジスタのゲートに接続されている選択線と、からなる電流駆動回路を提供する。
【００３８】
本電流駆動回路においては、前記保持容量は、前記駆動トランジスタのゲートと前記接地端子との間に接続されており、前記第二のスイッチトランジスタのソースは、前記駆動トランジスタのドレインと前記第三のスイッチトランジスタのドレインとの接続点に接続されており、前記第二のスイッチトランジスタのドレインは前記信号線に接続されており、前記第四のトランジスタは前記第一のスイッチトランジスタのドレインと前記第二のスイッチトランジスタのドレインとの間に接続されており、前記第四のトランジスタは前記第一のスイッチトランジスタ及び前記第二のスイッチトランジスタと同極性であり、前記第四のトランジスタのドレインとゲートは前記第二のスイッチトランジスタと前記信号線との接続点に接続され、前記第四のトランジスタのソースは前記第一のスイッチトランジスタのドレインに接続されており、前記第一のスイッチトランジスタのソースは前記駆動トランジスタのゲートと前記保持容量との接続点に接続されており、前記駆動トランジスタのドレインは前記第三のスイッチトランジスタを介して前記電源端子に接続されている。
【００３９】
また、請求項６は、電源に接続されている電源端子と、接地されている接地端子と、信号電流が流れる信号線と、第一のスイッチトランジスタと、第二のスイッチトランジスタと、第三のスイッチトランジスタと、第四のトランジスタと、前記信号電流を電圧に変換して記憶する保持容量と、駆動トランジスタと、前記駆動トランジスタのソースと前記接地端子との間に接続されている負荷と、前記第一、第二及び第三のスイッチトランジスタのゲートに接続されている選択線と、からなる電流駆動回路を提供する。
【００４０】
本電流駆動回路においては、前記保持容量は、前記駆動トランジスタのゲートと前記接地端子との間に接続されており、前記第二のスイッチトランジスタのソースは、前記駆動トランジスタのドレインと前記第三のスイッチトランジスタのドレインとの接続点に接続されており、前記第一及び第二のスイッチトランジスタのドレインは前記信号線に接続されており、前記第四のトランジスタのソースは前記保持容量と前記駆動トランジスタのゲートとの接続点に接続され、前記第四のトランジスタのドレインは前記信号線に接続され、前記第一のスイッチトランジスタのソースは前記第四のトランジスタのゲートに接続され、前記駆動トランジスタのドレインは前記第三のスイッチトランジスタを介して前記電源端子に接続されている。
【００４１】
上記の電流駆動回路において、前記第一及び第二のスイッチトランジスタは前記駆動トランジスタと同極性であることが好ましい。
【００４２】
また、前記第三のスイッチトランジスタは前記駆動トランジスタ、前記第一のスイッチトランジスタ及び前記第二のスイッチトランジスタとは逆極性であることが好ましい。
【００４３】
さらには、前記第四のトランジスタは前記駆動トランジスタ、前記第一のスイッチトランジスタ及び前記第二のスイッチトランジスタと同極性であることが好ましい。
【００４４】
請求項１２は、電源に接続されている電源端子と、接地されている接地端子と、信号電流が流れる信号線と、第一のスイッチトランジスタと、第二のスイッチトランジスタと、第三のスイッチトランジスタと、第四のトランジスタと、前記信号電流を電圧に変換して記憶する第一の保持容量と、前記信号電流を電圧に変換して記憶する第二の保持容量と、駆動トランジスタと、前記駆動トランジスタのソースと前記接地端子との間に接続されている負荷と、前記第一、第二及び第三のスイッチトランジスタのゲートに接続されている選択線と、からなる電流駆動回路を提供する。
【００４５】
本電流駆動回路においては、前記第一の保持容量は、前記駆動トランジスタのゲートと前記接地端子との間に接続されており、前記第一のスイッチトランジスタは前記駆動トランジスタのドレインとゲートとの間に接続されており、前記第四のトランジスタのドレインは前記信号線に、ソースは前記駆動トランジスタのドレインにそれぞれ接続されており、前記第二のスイッチトランジスタは前記第四のトランジスタのドレインとゲートとの間に接続されており、前記第二の保持容量は前記第四のトランジスタのゲートと前記駆動トランジスタのゲートとの間に接続されており、前記駆動トランジスタのドレインは前記第三のスイッチトランジスタを介して電源端子に接続されている。
【００４６】
本電流駆動回路においては、前記第一及び第二のスイッチトランジスタは前記駆動トランジスタと同極性であることが好ましい。
【００４７】
また、前記第四のトランジスタは前記駆動トランジスタと同極性であることが好ましい。
【００４８】
また、前記第三のスイッチトランジスタは前記駆動トランジスタとは逆極性であることが好ましい。
【００４９】
上述の電流駆動回路において、前記負荷としては、例えば、有機エレクトロルミネッセンス素子を選択することができる。
【００５０】
上述の電流駆動回路は画像表示装置に適しており、画像表示装置に使用することにより、製造コストと消費電力の軽減を図ることができる。
【００５１】
【発明の実施の形態】
図１は、本発明の第一の実施形態に係る電流駆動回路の回路図である。
【００５２】
本実施形態に係る電流駆動回路は、一対の電源電極としての、電源に接続されている電源端子１及び接地されている接地端子２と、信号電流が流れる信号線３と、第一のスイッチ８と、信号線３に接続され、第一のスイッチ８と直列に接続されている第二のスイッチ９と、電源端子１に接続されている第三のスイッチ１０と、信号電流を電圧に変換して記憶する記憶段７と、駆動トランジスタ６と、駆動トランジスタ６のソースと接地端子２との間に接続されている負荷５と、第一、第二及び第三のスイッチ８、９、１０に接続されている選択線４と、からなっている。
【００５３】
信号線３は、互いに直列に接続された第一のスイッチ８及び第二のスイッチ９を介して駆動トランジスタ６のゲートに接続されている。
【００５４】
駆動トランジスタ６のソースと接地端子２との間に接続されている負荷５には、駆動トランジスタ６によって信号線３の信号電流が供給される。負荷５は、例えば、有機ＥＬ素子のように電流駆動を要する負荷である。
【００５５】
信号線３の信号電流を電圧に変換して記憶する記憶段７は、駆動トランジスタ６のゲートと接地端子２との間に接続されている。
【００５６】
第一のスイッチ８は駆動トランジスタ６のドレインとゲートとの間に接続されている。
【００５７】
駆動トランジスタ６のドレインは、第二のスイッチ９を介して信号線３に接続され、さらに、第三のスイッチ１０を介して電源端子１に接続されている。
【００５８】
第一、第二及び第三のスイッチ８、９及び１０の制御端子は選択線４に接続されている。
【００５９】
第一のスイッチ８が導通状態のときには、駆動トランジスタ６のドレインとゲートとがショートの状態となる。
【００６０】
第三のスイッチ１０は第一のスイッチ８及び第二のスイッチ９とは逆極性である。すなわち、選択線４がハイレベルの場合には、第一のスイッチ８及び第二のスイッチ９は導通状態となり、第三のスイッチ１０は遮断状態になり、逆に、選択線４がローレベルの場合には、第一のスイッチ８及び第二のスイッチ９は遮断状態となり、第三のスイッチ１０は導通状態となる。
【００６１】
次に、本実施形態に係る電流駆動回路の動作について説明する。
【００６２】
図１に示した本実施形態に係る電流駆動回路において、信号線３には信号電流（図示せず）が印加されている。このとき、選択線４がハイレベルの状態になると、第一のスイッチ８及び第二のスイッチ９はともに導通状態になり、駆動トランジスタ６のドレインとゲートとが第一のスイッチ８を介してショートし、駆動トランジスタ６はダイオードのような状態となる。
【００６３】
第三のスイッチ１０は遮断状態となる。
【００６４】
従って、信号線３からの信号電流は、第一のスイッチ８及び第二のスイッチ９を介して、記憶段７に記憶されると同時に、駆動トランジスタ６を介して負荷５に供給される。即ち、選択線４がハイレベルの状態のときには、負荷５には信号線３からの信号電流が供給される。
【００６５】
一方、選択線４がローレベルのときには、第一のスイッチ８及び第二のスイッチ９はともに遮断状態となり、逆に、第三のスイッチ１０は導通状態となる。
【００６６】
このため、駆動トランジスタ６のドレインとゲートとはオープン状態となる。この時、信号線３からの信号電流は遮断されるが、第三のスイッチ１０が導通状態となるため、駆動トランジスタ６のドレインは第三のスイッチ１０を介して電源１に接続され、駆動トランジスタ６のゲートには、選択線４がハイレベルのときに記憶段７に記憶された信号線３からの信号電流を電圧に変換した信号電圧が印加されている。
【００６７】
従って、選択線４がローレベルであって信号線３からの信号電流が印加されていない状態であっても、記憶段７に記憶されていた信号電圧が駆動トランジスタ６のゲートに印加されているので、駆動トランジスタ６はその信号電圧に相当する電流を電源端子１を介して負荷５に供給する。すなわち、選択線がローレベルのときには、駆動トランジスタ６は電源端子１を介して負荷５に電流を供給することができる。
【００６８】
このように、駆動トランジスタ６は記憶段７に記憶された電圧によって、信号線３からの信号電流がない状態であっても、負荷５に電流を供給し続ける。
【００６９】
ここで、選択線４がハイレベルの状態の時は、第一のスイッチ８が導通するため駆動トランジスタ６のドレインとゲートはショート状態である。すなわち、駆動トランジスタ６のドレインとソース間の電圧はゲート・ソース間の電圧に等しい。
【００７０】
一方、選択線４がローレベルの状態の時は、駆動トランジスタ６のドレインはスイッチ１０を介して電源端子１に接続されているので、駆動トランジスタ６のドレインとソース間の電圧は電源端子１の電圧値に依存し、選択線４がハイレベルの状態の時とは異なることがある。このことは、駆動トランジスタ６のアーリー電圧の影響で、選択線４がハイレベルの状態とローレベルの状態とで負荷６に供給する駆動トランジスタ６の駆動電流が異なることがある。
【００７１】
しかし、記憶段７は駆動トランジスタ６のゲートと接地端子２との間に接続されているので、駆動トランジスタ６のソースと接地端子２との間に接続されている付加の帰還作用によってアーリー電圧の影響による駆動電流の増加は抑制される。
【００７２】
本実施形態に係る電流駆動回路は、例えば、薄膜トランジスタを使用したアクティブマトリクス方式の有機ＥＬ素子の画像表示方法の駆動回路に使われる。
【００７３】
本実施形態に係る電流駆動回路は次のような効果を奏する。
【００７４】
第１の効果は、本電流駆動回路を構成するＴＦＴのトランジスタ間の整合や閾値の精度の調整が必要ないという点である。このため、製造歩留まりを極めて高くすることが可能であり、製造コストの低い画像表示装置を提供することが可能である。
【００７５】
その理由は、記憶段７に記憶された信号電圧に相当する電流が駆動トランジスタ６を駆動する電流として駆動トランジスタ６に供給されるためである。
【００７６】
第２の効果は、本実施形態に係る電流駆動回路における回路電流は全て負荷５に流れ込むため、回路電流を低減することができ、消費電力を低減させることが可能である点である。このため、本実施形態に係る電流駆動回路は携帯機器にも適用することができる。
【００７７】
その理由は次の通りである。
【００７８】
従来の電流駆動回路はカレントミラー回路で形成していた。カレントミラー回路の場合、信号電流を一旦電圧に変換するダイオード構成のトランジスタを必要としていたが、このトランジスタに流れる電流は直接負荷に供給されるものではないため、消費電力の増大の要因であった。
【００７９】
本実施形態に係る電流駆動回路はカレントミラー回路で形成されるものではないため、信号電流を電圧に変換するダイオード構成のトランジスタは必要ではなく、さらには、回路電流は全て負荷５に流れ込むため、従来の電流駆動回路と比較して、大幅に消費電力を低減させることができる。
【００８０】
図２は、本発明の第二の実施形態に係る電流駆動回路の回路図である。
【００８１】
本実施形態に係る電流駆動回路は、一対の電源電極としての、電源に接続されている電源端子１及び接地されている接地端子２と、信号電流が流れる信号線３と、第一のスイッチトランジスタ１３と、第二のスイッチトランジスタ１４と、電源端子１に接続されている第三のスイッチトランジスタ１５と、信号電流を電圧に変換して記憶する記憶段としての保持容量１２と、駆動トランジスタ６と、駆動トランジスタ６に対する負荷としての有機ＥＬ素子１１と、第一、第二及び第三のスイッチトランジスタ１３、１４、１５の各ゲートに接続されている選択線４と、からなっている。
【００８２】
駆動トランジスタ６に対する負荷としての有機ＥＬ素子１１は駆動トランジスタ６のソースと接地端子２との間に接続されている。
【００８３】
記憶段としての保持容量１２は、駆動トランジスタ６のゲートと接地端子２との間に接続されている。
【００８４】
第一及び第二のスイッチトランジスタ１３、１４は信号線３と駆動トランジスタ６のゲートとの間において、互いに直列に接続されている。すなわち、第一のスイッチトランジスタ１３のソースは駆動トランジスタ６のゲートと、ドレインは第二のスイッチトランジスタ１４のソースと各々接続されており、第二のスイッチトランジスタ１４のドレインは信号線３に接続されている。
【００８５】
第一及び第二のスイッチトランジスタ１３、１４は駆動トランジスタ６と同極性であるが、第三のスイッチトランジスタ１５とは逆極性である。
【００８６】
第一のスイッチトランジスタ１３のドレインと第二のスイッチトランジスタ１４のソースとの接続点は、駆動トランジスタ６のドレインと第三のスイッチトランジスタ１５のドレインとの接続点と接続されている。
【００８７】
駆動トランジスタ６のドレインは第三のスイッチトランジスタ１５を介して電源端子１に接続されている。
【００８８】
第一、第二及び第三のスイッチトランジスタ１３、１４及び１５のゲートはそれぞれ選択線４に接続されている。
【００８９】
本実施形態に係る電流駆動回路は次のように作動する。
【００９０】
信号線３に信号電流（図示せず）が印加され、選択線４がハイレベルの状態になると、第一及び第二のスイッチトランジスタ１３及び１４はともに導通状態となる。このため、駆動トランジスタ６のドレインとゲートとは第一のスイッチトランジスタ１３を介してショートの状態となり、駆動トランジスタ６はダイオードと同様の状態になる。第三のスイッチトランジスタ１５は遮断状態となる。
【００９１】
従って、信号線３からの信号電流は、第一及び第二のスイッチトランジスタ１３、１４を介して、保持容量１２に供給され、保持容量１２によって信号電圧に変換されると同時に、駆動トランジスタ６を介して、有機ＥＬ素子１１に供給される。
【００９２】
一方、選択線４がローレベルの状態となると、第一及び第二のスイッチトランジスタ１３及び１４はともに遮断状態となり、逆に、第三のスイッチトランジスタ１５は導通状態となる。このため、駆動トランジスタ６のドレインとゲートはオープン状態となり、さらに、駆動トランジスタ６のドレインは第三のスイッチトランジスタ１５を介して電源端子１に接続される。
【００９３】
また、駆動トランジスタ６のゲートには、選択線４がハイレベルのときに保持容量１２に記憶された信号線３からの信号電流を電圧に変換された信号電圧が保持されている。従って、駆動トランジスタ６は、選択線４がローレベルであって、信号線３からの信号電流が印加されていない状態であっても、保持容量１２に記憶された信号電圧が駆動トランジスタ６のゲートに印加されているので、電源端子１を介して、保持容量１２に記憶されている信号電圧に相当する電流を有機ＥＬ素子１１に供給することができる。
【００９４】
本実施形態に係る電流駆動回路によっても、上述の第一の実施形態に係る電流駆動回路と同様の効果を得ることができる。
【００９５】
図３は、本発明の第三の実施形態に係る電流駆動回路の回路図である。
【００９６】
本実施形態に係る電流駆動回路は、一対の電源電極としての、電源に接続されている電源端子１及び接地されている接地端子２と、信号電流が流れる信号線３と、第一のスイッチトランジスタ１３と、第二のスイッチトランジスタ１４と、電源端子１に接続されている第三のスイッチトランジスタ１５と、信号電流を電圧に変換して記憶する記憶段としての保持容量１２と、駆動トランジスタ６と、駆動トランジスタ６に対する負荷としての有機ＥＬ素子１１と、第一、第二及び第三のスイッチトランジスタ１３、１４、１５の各ゲートに接続されている選択線４と、からなっている。
【００９７】
本実施形態に係る電流駆動回路においては、第二のスイッチトランジスタ１４の配置が図２に示した第二の実施形態に係る電流駆動回路と異なっている。すなわち、第二のスイッチトランジスタ１４のゲートが選択線４に接続されている点は第二の実施形態と同様であるが、第二のスイッチトランジスタ１４のソースは、駆動トランジスタ６のドレインと第三のスイッチトランジスタ１５のドレインとの接続点に接続され、第二のスイッチトランジスタ１４のドレインは、第一のスイッチトランジスタ１３のドレインと信号線３との接続点に接続されている。
【００９８】
この第二のスイッチトランジスタ１４の配置以外の構成は図２に示した第二の実施形態に係る電流駆動回路と同様である。
【００９９】
本実施形態に係る電流駆動回路は次のように作動する。
【０１００】
選択線４がハイレベルの状態になると、第一及び第二のスイッチトランジスタ１３及び１４は導通状態となり、第三のスイッチトランジスタ１５は遮断状態となる。
【０１０１】
このため、信号線３からの信号電流は、第一のスイッチトランジスタ１３を介して、保持容量１２に流れて信号電圧として保持されるとともに、第二のスイッチトランジスタ１４を介して、駆動トランジスタ６に流れ、駆動トランジスタ６を介して、有機ＥＬ素子１１に供給される。
【０１０２】
選択線４がローレベルの状態のときには、第一及び第二のスイッチトランジスタ１３及び１４が遮断状態となり、第三のスイッチトランジスタ１５は導通状態となる。
【０１０３】
このため、信号線３からの信号電流は遮断されるが、駆動トランジスタ６は導通状態となっている第三のスイッチトランジスタ１５を介して電源端子１と接続される。選択線４がローレベルであって、信号線３からの信号電流が印加されていない状態であっても、保持容量１２に記憶された信号電圧が駆動トランジスタ６のゲートに印加されている。このため、駆動トランジスタ６には電源端子１から、保持容量１２に記憶されている信号電圧に相当する電流が供給される。この電流は、駆動トランジスタ６を介して、有機ＥＬ素子１１に供給される。
【０１０４】
以上のように、本実施形態に係る電流駆動回路によっても、上述の第一の実施形態に係る電流駆動回路と同様の効果を得ることができる。
【０１０５】
図４は、本発明の第四の実施形態に係る電流駆動回路の回路図である。
【０１０６】
本実施形態に係る電流駆動回路は、一対の電源電極としての、電源に接続されている電源端子１及び接地されている接地端子２と、信号電流が流れる信号線３と、第一のスイッチトランジスタ１３と、第二のスイッチトランジスタ１４と、電源端子１に接続されている第三のスイッチトランジスタ１５と、レベルシフト用トランジスタ１６と、信号電流を電圧に変換して記憶する記憶段としての保持容量１２と、駆動トランジスタ６と、駆動トランジスタ６に対する負荷としての有機ＥＬ素子１１と、第一、第二及び第三のスイッチトランジスタ１３、１４、１５の各ゲートに接続されている選択線４と、からなっている。
【０１０７】
すなわち、本実施形態に係る電流駆動回路は、図３に示した第三の実施形態に係る電流駆動回路と比較して、レベルシフト用トランジスタ１６をさらに備えた構造を有している。
【０１０８】
レベルシフト用トランジスタ１６は、第一のスイッチトランジスタ１３のドレインと第二のスイッチトランジスタ１４のドレインとの間に接続されている。レベルシフト用トランジスタ１６のドレインとゲートは第二のスイッチトランジスタ１４と信号線３との接続点に接続され、ソースは第一のスイッチトランジスタ１３のドレインに接続されている。
【０１０９】
レベルシフト用トランジスタ１６は第一及び第二のスイッチトランジスタ１３及び１４と同極性である。
【０１１０】
本実施形態に係る電流駆動回路は次のように作動する。
【０１１１】
選択線４がハイレベルの状態のときには、図３に示した第一の実施形態における第一及び第二のスイッチトランジスタ１３及び１４は飽和領域で動作するが、本実施形態に係る電流駆動回路においては、レベルシフト用トランジスタ１６を設けることにより、第一のスイッチトランジスタ１３は非飽和領域で動作する。
【０１１２】
この点以外の動作は図３に示した第一の実施形態に係る電流駆動回路と同様である。
【０１１３】
本実施形態に係る電流駆動回路によっても、上述の第一の実施形態に係る電流駆動回路と同様の効果を得ることができる。
【０１１４】
図５は、本発明の第五の実施形態に係る電流駆動回路の回路図である。
【０１１５】
本実施形態に係る電流駆動回路は、一対の電源電極としての、電源に接続されている電源端子１及び接地されている接地端子２と、信号電流が流れる信号線３と、第一のスイッチトランジスタ１３と、第二のスイッチトランジスタ１４と、電源端子１に接続されている第三のスイッチトランジスタ１５と、レベルシフト用トランジスタ１６と、信号電流を電圧に変換して記憶する記憶段としての保持容量１２と、駆動トランジスタ６と、駆動トランジスタ６に対する負荷としての有機ＥＬ素子１１と、第一、第二及び第三のスイッチトランジスタ１３、１４、１５の各ゲートに接続されている選択線４と、からなっている。
【０１１６】
本実施形態に係る電流駆動回路は、図４に示した第四の実施形態に係る電流駆動回路と比較して、第一のスイッチトランジスタ１３及びレベルシフト用トランジスタ１６の配置が異なっている。
【０１１７】
第一のスイッチトランジスタ１３のゲートは選択線４に接続され、ソースはレベルシフト用トランジスタ１６のゲートに接続され、ドレインは信号線３と第二のスイッチトランジスタ１４のドレインとレベルシフト用トランジスタ１６のドレインとの接続点に接続されている。
【０１１８】
レベルシフト用トランジスタ１６のソースは保持容量１２と駆動トランジスタ６のゲートとの接続点に接続され、ドレインは信号線３に接続され、ゲートは第一のスイッチトランジスタ１３のソースに接続されている。
【０１１９】
第一のスイッチトランジスタ１３及びレベルシフト用トランジスタ１６の配置以外の構成は図４に示した第四の実施形態に係る電流駆動回路と同様である。
【０１２０】
本実施形態に係る電流駆動回路は次のように作動する。
【０１２１】
選択線４がハイレベルの状態になると、第一及び第二のスイッチトランジスタ１３及び１４はともに導通状態になる。このため、レベルシフト用トランジスタ１６のドレインとゲートとは第一のスイッチトランジスタ１３を介して接続され、この結果、レベルシフト用トランジスタ１６はダイオードとして動作する。
【０１２２】
この点以外の動作は図３に示した第一の実施形態に係る電流駆動回路と同様である。
【０１２３】
本実施形態に係る電流駆動回路によっても、上述の第一の実施形態に係る電流駆動回路と同様の効果を得ることができる。
【０１２４】
図６は、本発明の第六の実施形態に係る電流駆動回路の回路図である。
【０１２５】
本実施形態に係る電流駆動回路は、一対の電源電極としての、電源に接続されている電源端子１及び接地されている接地端子２と、信号電流が流れる信号線３と、第一のスイッチトランジスタ１３と、第二のスイッチトランジスタ１４と、電源端子１に接続されている第三のスイッチトランジスタ１５と、信号電流を電圧に変換して記憶する記憶段としての保持容量１２と、駆動トランジスタ６と、駆動トランジスタ６に対する負荷としての有機ＥＬ素子１１と、第一、第二及び第三のスイッチトランジスタ１３、１４、１５の各ゲートに接続されている選択線４と、からなっている。
【０１２６】
すなわち、本実施形態に係る電流駆動回路は、図２に示した第二の実施形態に係る電流駆動回路と同一の構成を有しているが、第一、第二及び第三のスイッチトランジスタ１３、１４、１５並びに駆動トランジスタ６相互間の極性が異なっている。
【０１２７】
すなわち、図２に示した第二の実施形態に係る電流駆動回路においては、第一及び第二のスイッチトランジスタ１３、１４は駆動トランジスタ６と同一の極性を有し、第三のスイッチトランジスタ１５は駆動トランジスタ６とは逆極性を有していたが、本実施形態に係る電流駆動回路においては、第一及び第二のスイッチトランジスタ１３、１４は駆動トランジスタ６とは逆極性を有し、第三のスイッチトランジスタ１５は駆動トランジスタ６と同極性を有している。
【０１２８】
図１乃至５に示した第一乃至第五の実施形態においては、選択線４がハイレベルの状態のときに、信号線３からの信号電流が駆動トランジスタ６を介して有機ＥＬ素子１１に供給され、選択線４がローレベルの状態のときには、電源端子１から第三のスイッチトランジスタ１５及び駆動トランジスタ６を介して有機ＥＬ素子１１に電流が供給されていた。
【０１２９】
これに対して、図６に示す第六の実施形態に係る電流駆動回路においては、次のように、有機ＥＬ素子１１に対して電流が供給される。
【０１３０】
選択線４がローレベルの状態になると、第一及び第二のスイッチトランジスタ１３及び１４は導通状態になり、第三のスイッチトランジスタ１５は遮断状態になる。
【０１３１】
従って、信号線３からの信号電流は、第一及び第二のスイッチトランジスタ１３及び１４を介して、保持容量１２に供給され、信号電圧に変換されると同時に、駆動トランジスタ６を介して、有機ＥＬ素子１１に供給される。
【０１３２】
一方、選択線４がハイレベルの状態になると、第一及び第二のスイッチトランジスタ１３及び１４は遮断状態になり、逆に、第三のスイッチトランジスタ１５は導通状態になる。
【０１３３】
このため、駆動トランジスタ６のドレインとゲートはオープン状態になり、また、第三のスイッチトランジスタ１５が導通状態になるため、駆動トランジスタ６のドレインは第三のスイッチトランジスタ１５を介して電源端子１に接続される。
【０１３４】
また、選択線４がローレベルのときには、駆動トランジスタ６は、そのゲートを介して、保持容量１２に記憶された信号線３からの信号電流を電圧に変換された信号電圧を保持している。
【０１３５】
従って、選択線４がハイレベルであって、信号線３からの信号電流が印加されない状態であっても、保持容量１２に記憶された信号電圧が駆動トランジスタ６のゲートに印加されているため、電源端子１及び駆動トランジスタ６を介して、信号電圧に相当する電流が有機ＥＬ素子１１に供給される。
【０１３６】
本実施形態に係る電流駆動回路によれば、駆動トランジスタ６が非飽和領域で動作しない範囲において、選択線４のハイレベルの電位を適切に選択し、かつ、駆動トランジスタ６のドレイン及びソース間の電圧を所定の値に選べば、アーリー電圧の影響を除去することができる。
【０１３７】
図７は、本発明の第七の実施形態に係る電流駆動回路の回路図である。
【０１３８】
本実施形態に係る電流駆動回路は、一対の電源電極としての、電源に接続されている電源端子１及び接地されている接地端子２と、信号電流が流れる信号線３と、第一のスイッチトランジスタ１３と、第二のスイッチトランジスタ１４と、電源端子１に接続されている第三のスイッチトランジスタ１５と、電流をバイパスする第四のトランジスタ２１と、第一の保持容量１７と、第二の保持容量１８と、駆動トランジスタ６と、駆動トランジスタ６に対する負荷としての有機ＥＬ素子１１と、第一、第二及び第三のスイッチトランジスタ１３、１４、１５の各ゲートに接続されている選択線４と、からなっている。
【０１３９】
第一の保持容量１７は、駆動トランジスタ６のゲートと接地端子２との間に接続されている。
【０１４０】
第一のスイッチトランジスタ１３は、駆動トランジスタ６のドレインとゲートとの間に接続されている。すなわち、第一のスイッチトランジスタ１３のドレインは駆動トランジスタ６のドレインに接続され、ソースは駆動トランジスタ６のゲートに接続されている。第一のスイッチトランジスタ１３のゲートは選択線４に接続されている。
【０１４１】
第四のトランジスタ２１のドレインは信号線３に接続され、ソースは駆動トランジスタ６のドレインに接続され、ゲートは第二のスイッチトランジスタ１４のソースと第二の保持容量１８との接続点に接続されている。
【０１４２】
第二のスイッチトランジスタ１４は第四のトランジスタ２１のドレインとゲートとの間に接続されている。すなわち、第二のスイッチトランジスタ１４のドレインは第四のトランジスタ２１のドレインと第三のスイッチトランジスタ１５のドレインとの接続点に接続され、ソースは第四のトランジスタ６のゲートと第二の保持容量１８との接続点に接続されている。第二のスイッチトランジスタ１４のゲートは選択線４に接続されている。
【０１４３】
第二の保持容量１８は第四のトランジスタ２１のゲートと駆動トランジスタ６のゲートとの間に接続されている。
【０１４４】
第三のスイッチトランジスタ１５のソースは電源端子１に接続され、ドレインは第二のスイッチトランジスタ１４のドレインと第四のトランジスタ２１のドレインと駆動トランジスタ６のドレインとの接続点に接続され、ゲートは選択線４に接続されている。
【０１４５】
本実施形態に係る電流駆動回路においては、第一のスイッチトランジスタ１３及び第二のスイッチトランジスタ１４、第四のトランジスタ２１は駆動トランジスタ６と同極性であり、第三のスイッチトランジスタ１５は駆動トランジスタ６とは逆極性である。
【０１４６】
本実施形態に係る電流駆動回路は次のように作動する。
【０１４７】
選択線４がハイレベルの状態になると、第一及び第二のスイッチトランジスタ１３及び１４は導通状態になり、第三のスイッチトランジスタ１５は遮断状態になる。
【０１４８】
第二のスイッチトランジスタ１４が導通状態になるため、第二のスイッチトランジスタ１４を介して、第二の保持容量１８及び第一の保持容量１７には信号線３からの信号電流が流れ、第一の保持容量１７には信号電流に相当する信号電圧が発生する。
【０１４９】
一方、第二のスイッチトランジスタ１４と第一のスイッチトランジスタ１３とはともに導通状態になるため、第四のトランジスタ２１及び駆動トランジスタ６はともにダイオード状態となり、信号線３からの信号電流が、第四のトランジスタ２１及び駆動トランジスタ６を介して、有機ＥＬ素子１１にを供給される。
【０１５０】
また、第一のスイッチトランジスタ１３が導通しているため、駆動トランジスタ６のドレイン電圧とゲート電圧はほぼ等しくなる。すなわち、駆動トランジスタ６のドレインとソース間の電圧差はゲートとソース間の電圧差に等しい。ここで、第二の保持容量１８の両端には、第四のトランジスタ２１のゲートソース間の電圧が印加されている。
【０１５１】
選択線４がローレベルの状態になると、第一及び第二のスイッチトランジスタ１３及び１４は遮断状態になり、第三のスイッチトランジスタ１５は導通状態になる。このため、駆動トランジスタ６及び第四のトランジスタ２１はドレインとゲートがショート状態になっているダイオード状態から、トランジスタ動作を行う状態に移行する。
【０１５２】
第四のトランジスタ２１のゲートには、第二の保持容量１８と第一の保持容量１７とに蓄積された電荷に相当する電圧が印加されている。また、駆動トランジスタ６のゲートには信号線３からの信号電流に相当する信号電圧が印加されているので、駆動トランジスタ６は、電源端子１から、第三のスイッチトランジスタ１５及び第四のトランジスタ２１を介して、信号電圧に相当する電圧を有機ＥＬ素子１１に供給する。
【０１５３】
この時、第二の保持容量１８の両端の電圧は第四のトランジスタ２１のゲートとソース間の電圧となり、駆動トランジスタ６のドレインとゲートにおける電圧は等しくなる。すなわち、駆動トランジスタ６のドレインとソース間の電圧差はゲートとソース間の電圧差に等しい。
【０１５４】
従って、選択線４がハイレベルの状態であっても、あるいは、ローレベルの状態であっても、駆動トランジスタ６のドレインとゲート間の電圧は同じ値を保つため、トランジスタのアーリー電圧の影響をなくすことが可能である。
【０１５５】
このことは、本実施形態に係る電流駆動装置を画像表示装置として使用した場合、選択線４がハイレベルの場合とローレベルの場合とを比較しても、有機ＥＬ素子１１に供給される電流が異なることがなく、階調ムラのない好適な画像表示装置を提供できることを意味している。
【０１５６】
また、本実施形態に係る電流駆動装置のみならず、上述の第一乃至第六の実施形態に係る電流駆動装置を画像表示装置として使用した場合も同様である。
【０１５７】
【発明の効果】
以上のように、本発明に係る電流駆動回路によれば、駆動トランジスタのゲートと接地端子との間に保持容量を設けることによって、選択線がハイレベルの場合に、信号線からの信号電流は保持容量に記憶され、保持容量によって信号電圧に変換されるともに、選択線がローレベルになって信号電流がない場合であっても、保持容量に記憶された信号電圧により駆動トランジスタが駆動され、負荷に電流が供給される。このため、本発明に係る電流駆動回路は、半導体製造プロセスにおけるばらつき等の影響を極めて受け難く、製造歩留まりを向上させることが可能である。
【図面の簡単な説明】
【図１】本発明の第一の実施形態に係る電流駆動回路の回路図である。
【図２】本発明の第二の実施形態に係る電流駆動回路の回路図である。
【図３】本発明の第三の実施形態に係る電流駆動回路の回路図である。
【図４】本発明の第四の実施形態に係る電流駆動回路の回路図である。
【図５】本発明の第五の実施形態に係る電流駆動回路の回路図である。
【図６】本発明の第六の実施形態に係る電流駆動回路の回路図である。
【図７】本発明の第七の実施形態に係る電流駆動回路の回路図である。
【図８】従来の電流駆動回路の回路図である。
【符号の説明】
１  電源端子
２  接地端子
３  信号線
４  選択線
５  負荷
６  駆動トランジスタ
７  記憶段
８  第一のスイッチ
９  第二のスイッチ
１０  第三のスイッチ
１１  有機ＥＬ素子
１２  保持容量
１３  第一のスイッチトランジスタ
１４  第二のスイッチトランジスタ
１５  第三のスイッチトランジスタ
１６  レベルシフト用トランジスタ
１７  第一の保持容量
１８  第二の保持容量
２１  第四のトランジスタ
【図１】
0003594126.tif 000002
【図２】
0003594126.tif 000003
【図３】
0003594126.tif 000004
【図４】
0003594126.tif 000005
【図５】
0003594126.tif 000006
【図６】
0003594126.tif 000007
【図７】
0003594126.tif 000008
【図８】
0003594126.tif 000009